(57)【要約】【課題】移動端末のデータカードを固定端末に装着して発信するデータカード通信システム及び方法に関し、移動端末の番号を発信者番号とする。【解決手段】固定網５に接続した固定端末４と、データカード３を装着した携帯端末１，２と無線接続する移動網６とを含み、携帯端末１のデータカード３を固定端末４に装着して、この固定端末４から発信して通信を行うもので、固定網５は、移動端末２のデータカード３を装着した固定端末４からダイヤルした移動端末１の番号を含む特番により、移動網６のアクセスポイント７と接続して、移動端末１の番号を転送し、移動網６のアクセスポイント７は、データカード３の登録内容を基に認証処理を実施し、認証が得られた時に、移動端末１の番号を発信者番号として、固定端末４からダイヤルした番号の端末に対する呼び出しを行うものである。【選択図】図１
2007208756.tif 000002
【特許請求の範囲】
【請求項１】
固定網に接続した固定端末と、データカードを装着した携帯端末と無線接続する移動網とを含み、前記携帯端末のデータカードを前記固定端末に装着して、該固定端末から発信して通信を行うデータカード通信システムに於いて、
前記固定網は、前記移動端末のデータカードを装着した前記固定端末からダイヤルした前記移動端末の番号を含む特番により、前記移動網のアクセスポイントと接続して前記移動端末の番号を転送する手段を備え、
前記移動網の前記アクセスポイントは、前記データカードの登録内容を基に認証処理を実施し、認証が得られた時に、前記移動端末の番号を発信者番号として、前記固定端末からダイヤルした番号の端末に対する呼び出しを行う手段を備えた
ことを特徴とするデータカード通信システム。
【請求項２】
固定網に接続した固定端末と、データカードを装着した携帯端末と無線接続する移動網とを含み、前記携帯端末のデータカードを前記固定端末に装着して、該固定端末から発信して通信を行うデータカード通信方法に於いて、
前記移動端末の前記データカードを前記固定端末に装着し、該固定端末から前記移動端末の番号を含む特番と着信端末の番号とをダイヤルし、前記特番により前記固定網は、前記移動網のアクセスポイントと接続して前記特番を転送し、前記アクセスポイントは、前記特番を分析し、前記データカードの登録内容を基に認証処理し、認証が得られた時に、前記移動端末の番号を発信者番号として、前記固定端末からダイヤルした番号の着信端末に対して呼び出しを行い、該呼び出しに応答した端末と前記固定端末との間の通信パスを形成する過程を含む
ことを特徴とするデータカード通信方法。
【請求項３】
固定網に接続した固定端末と、データカードを装着した携帯端末と無線接続する移動網とを含み、前記携帯端末のデータカードを前記固定端末に装着して、該固定端末から発信して通信を行うデータカード通信方法に於いて、
前記移動端末の前記データカードを前記固定端末に装着し、該固定端末から前記移動端末の番号を含む特番をダイヤルし、前記特番により前記固定網は、前記移動網のアクセスポイントと接続して前記特番を転送し、前記アクセスポイントは、前記特番を分析し、前記データカードの登録内容を基に認証処理し、認証が得られた時に、前記固定端末に着信端末番号のダイヤルを促すガイダンスを送出し、該ガイダンスに従ってダイヤルした着信端末番号に基づいて、前記移動端末の番号を発信者番号として、着信端末に対して呼び出しを行い、該呼び出しに応答した着信端末と前記固定端末との間の通信パスを形成する過程を含む
ことを特徴とするデータカード通信方法。
【発明の詳細な説明】
【技術分野】
【０００１】
本発明は、携帯端末のデータカードを固定端末に装着して発信し、呼び出しに応答した着信側の端末と固定端末との間で通信するデータカード通信システム及びデータカード通信方法に関する。
【背景技術】
【０００２】
携帯電話機等の携帯端末は、無線により移動網の基地局と接続して通話やデータ通信を行い、又一般電話機等を含む固定端末は、加入者線により固定網の交換機と接続して通話やデータ通信を行うものである。又携帯端末と固定端末との間は、携帯端末側の移動網と固定端末側の固定網との間の接続により、相互に通話やデータ通信が行われる。又携帯端末に、契約加入者情報や電話帳データ等を登録したＳＩＭ（Ｓｕｂｓｃｒｉｂｅｒ  Ｉｄｅｎｔｉｆｙ  Ｍｏｄｕｌｅ）カードや、ＵＩＭ（Ｕｓｅｒ  Ｉｄｅｎｔｉｔｙ  Ｍｏｄｕｌｅ）カード等と称されているデータカードを装着して、通話やデータ通信を行う手段も知られている。このデータカードは、メモリとデータの書込み及び読出しの制御部とを含むＩＣカードに相当する機能を備えている。
【０００３】
又携帯端末の近傍の固定端末へ、携帯端末への着信を転送できるように、予め、携帯端末からデータカードを抜き出して固定端末が接続された通信制御装置に装着し、その通信制御装置が接続されている交換機に対して、携帯端末の番号と位置登録要求とを送信し、交換機に於ける携帯端末の位置登録が完了すると、通信制御装置に於いても固定端末番号と携帯端末番号との対応付けを登録することにより、携帯端末への着信を、固定端末へ着信するように制御する手段が提案されている（例えば、特許文献１参照）。又所望の通信相手の電話番号等を登録した前述のデータカードを携帯端末に装着し、着信があった時に、発信者電話番号がデータカードに登録された電話番号であるか否かを判定し、登録された電話番号の場合は、予め設定した自動着信等の着信動作を行い、又登録されていない電話番号の場合は、その電話番号を表示すると共にアラームにより携帯端末のユーザに注意を喚起し、着信動作を行うか否かの指示に従った処理を行う手段が提案されている（例えば、特許文献２参照）。
【特許文献１】特許第３３８１６４３号公報
【特許文献２】特開２００２−３００３０５号公報
【発明の開示】
【発明が解決しようとする課題】
【０００４】
前述のデータカードを携帯端末から抜き出して固定端末に装着し、その固定端末から発信した場合、発信者情報は、固定端末番号として固定網の交換機に送信される。従って、着信側の固定端末又は携帯端末には、固定端末番号が発信者番号として表示される。その為、着信側で表示される発信者番号は、携帯端末と直接的に関係しない固定端末番号であるから、未知の発信者番号の場合には、呼び出しに対する応答の要否の判断を行ったり、又はこの呼び出しに対する折り返し発信ができない問題がある。なお、従来例としての前述の特許文献１に示すように、固定端末と固定網の交換機との間に設置した通信制御装置に、固定端末番号と携帯端末番号との対応付けを登録し、交換機にも携帯端末の位置登録を行うことにより、携帯端末への着信を、データカードを装着した固定端末に対して行うことができるが、この場合も、固定端末からの発信時は、前述の場合と同様に、発信者番号は固定端末番号となり、その固定端末番号が発信者番号として表示されるので、前述と同様の問題が生じる。
【０００５】
本発明は、携帯端末のデータカードを装着した固定端末からの発信時に、携帯端末番号を発信者番号として発信し、着信側に対しては、携帯端末番号を発信者番号として表示可能とすることを目的とする。
【課題を解決するための手段】
【０００６】
本発明のデータカード通信システムは、固定網に接続した固定端末と、データカードを装着した携帯端末と無線接続する移動網とを含み、前記携帯端末のデータカードを前記固定端末に装着して、該固定端末から発信して通信を行うデータカード通信システムに於いて、前記固定網は、前記移動端末のデータカードを装着した前記固定端末からダイヤルした前記移動端末の番号を含む特番により、前記移動網のアクセスポイントと接続して前記移動端末の番号を転送する手段を備え、前記移動網の前記アクセスポイントは、前記データカードの登録内容を基に認証処理を実施し、認証が得られた時に、前記移動端末の番号を発信者番号として、前記固定端末からダイヤルした番号の端末に対する呼び出しを行う手段を備えている。
【０００７】
又本発明のデータカード通信方法は、固定網に接続した固定端末と、データカードを装着した携帯端末と無線接続する移動網とを含み、前記携帯端末のデータカードを前記固定端末に装着して、該固定端末から発信して通信を行うデータカード通信方法に於いて、前記移動端末の前記データカードを前記固定端末に装着し、該固定端末から前記移動端末の番号を含む特番と着信端末の番号とをダイヤルし、前記特番により前記固定網は、前記移動網のアクセスポイントと接続して前記特番を転送し、前記アクセスポイントは、前記特番を分析し、前記データカードの登録内容を基に認証処理し、認証が得られた時に、前記移動端末の番号を発信者番号として、前記固定端末からダイヤルした番号の着信端末に対して呼び出しを行い、該呼び出しに応答した端末と前記固定端末との間の通信パスを形成する過程を含むものである。
【０００８】
又固定網に接続した固定端末と、データカードを装着した携帯端末と無線接続する移動網とを含み、前記携帯端末のデータカードを前記固定端末に装着して、該固定端末から発信して通信を行うデータカード通信方法に於いて、前記移動端末の前記データカードを前記固定端末に装着し、該固定端末から前記移動端末の番号を含む特番をダイヤルし、前記特番により前記固定網は、前記移動網のアクセスポイントと接続して前記特番を転送し、前記アクセスポイントは、前記特番を分析し、前記データカードの登録内容を基に認証処理し、認証が得られた時に、前記固定端末に着信端末番号のダイヤルを促すガイダンスを送出し、該ガイダンスに従ってダイヤルした着信端末番号に基づいて、前記移動端末の番号を発信者番号として、着信端末に対して呼び出しを行い、該呼び出しに応答した着信端末と前記固定端末との間の通信パスを形成する過程を含むものである。
【発明の効果】
【０００９】
移動端末のデータカードを固定端末に装着して特番により発信することにより、移動網に接続して、データカードを基にした認証処理を行って、正規の移動端末のデータカードか否かの確認が可能であり、又特番と共に移動端末の番号を送信することにより、移動端末の番号を発信者番号として、着信端末の呼び出しを行い、着信端末に移動端末の番号を表示することが可能となり、発信者確認と折り返し発信が可能となる。
【発明を実施するための最良の形態】
【００１０】
本発明のデータカード通信システムは、図１を参照すると、固定網５に接続した固定端末４と、データカード３を装着した携帯端末１，２と無線接続する移動網６とを含み、携帯端末１のデータカード３を固定端末４に装着して、この固定端末４から発信して通信を行うデータカード通信システムに於いて、固定網５は、移動端末２のデータカード３を装着した固定端末４からダイヤルした移動端末１の番号を含む特番により、移動網６のアクセスポイント７と接続して、移動端末１の番号を転送する手段を備え、移動網６のアクセスポイント７は、データカード３の登録内容を基に認証処理を実施し、認証が得られた時に、移動端末１の番号を発信者番号として、固定端末４からダイヤルした番号の端末に対する呼び出しを行う手段を備えている。
【００１１】
又本発明のデータカード通信方法は、固定網５に接続した固定端末４と、データカード３を装着した携帯端末１，２と無線接続する移動網６とを含み、携帯端末１のデータカード３を固定端末４に装着して、この固定端末４から発信して通信を行うデータカード通信方法に於いて、移動端末１のデータカード３を固定端末４に装着し、この固定端末４から移動端末１の番号を含む特番と着信端末の番号とをダイヤルし、特番により固定網５は、移動網６のアクセスポイント７と接続して特番を転送し、アクセスポイント７は、特番を分析し、データカード３の登録内容を基に認証処理し、認証が得られた時に、移動端末１の番号を発信者番号として、固定端末４からダイヤルした番号の着信端末に対して呼び出しを行い、この呼び出しに応答した端末と、固定端末４との間の通信パスを形成する過程を含むものである。
【実施例１】
【００１２】
図１は、本発明の実施例１の説明図であり、１，２は携帯端末、３はデータカード、４は固定端末、５は固定網、６は移動網、７は移動網のアクセスポイント、８は制御処理部を示す。固定網５は、既に知られている複数の交換機（図示を省略）を含み、その交換機と固定端末４とは加入者線により接続されている。又固定網５の交換機は、固定端末４から移動網６に収容された携帯端末への発信であることを認識すると、移動網６のアクセスポイント７との間の経路を形成する。又移動網６は、複数の基地局や移動通信交換局等（図示を省略）を含み、アクセスポイント７は、固定網５の交換機と接続制御する機能を有し、移動通信交換局の機能の一つとすることができる。
【００１３】
又移動網６のアクセスポイント７は、（１）認証機能、（２）着番号取得機能、（３）携帯端末の発番号での発信機能、（４）発端末（固定端末）と着端末の接続機能、（５）切断信号の送出機能等を含む制御処理部８を備えている。携帯端末１のデータカード３を固定端末４に装着して、着信端末として携帯端末２に対して固定端末４から発信する場合、固定端末４から携帯端末１の番号（０９０−ＸＸＸＸ）を含む特番（１ＸＹ−０９０−ＸＸＸＸ）をダイヤルし、次に着信端末の番号をダイヤルする。この場合、連続してダイヤルする方法と、特番ダイヤル後、移動網６側に於ける認証が得られた場合のガイダンスに従って、着信端末の番号をダイヤルする方法との何れかを適用することができる。なお、システムとして、何れか一方の操作方法に統一することができる。又着信端末の番号は、データカード３に登録されている電話帳データを利用することも可能である。
【００１４】
固定網５の交換機は、固定端末４からの特番により移動網６のアクセスポイント７に接続する制御を行い、アクセスポイント７の制御処理部８は、特番に付随した携帯端末１の番号と、固定端末４に装着したデータカード３の登録内容とに基づいて、前述の（１）認証機能により、携帯端末１としての認証処理を行い、認証が得られた時は、着信端末の番号に従って、例えば、携帯端末２の呼び出し制御を行う。この時、移動端末１の番号（０９０−ＸＸＸＸ）を発信者番号として、携帯端末２の呼び出しを行う。従って、携帯端末２には、固定端末４からの発信であっても、携帯端末１の番号が表示され、その携帯端末２から携帯端末１への折り返し発信も可能となる。なお、前述の（１）認証機能は、通常の移動端末が発信した場合、移動網６に於いてその移動端末が正規の移動端末であるか否かを認証する機能を備えているもので、その認証機能を利用することができる。
【００１５】
図２は、本発明の実施例１の動作説明図であり、携帯端末１のデータカード３を装着した固定端末４から、携帯端末１の番号を含む特番（１ＸＹ−０９０−ＸＸＸＸ）をダイヤルし（Ａ１）、相手先番号をダイヤルする（Ａ２）。この相手先番号は、前述のように、特番に引き続きダイヤルする方法と、データカード３に基づく認証が得られた時の後述のガイダンスに従ってダイヤルする方法との何れかを採用することができる。又前述のように、データカード３に登録された番号データを利用することもできる。
【００１６】
固定端末４が収容されている固定網５に於いては、特番により移動網６に対してルーチングする（Ａ３）。移動網６に於いては、ダイヤル番号を分析して、アクセスポイント７へ接続する（Ａ４）。アクセスポイント７に於いては、その制御処理部８の（１）認証機能により、固定端末４に装着したデータカード３と連携して認証処理を行う（Ａ５）。認証ＯＫの場合、制御処理部８の（２）着番号取得機能により、データカード３を装着した固定端末４に対して、相手先番号をダイヤルするように促す為の「接続先の電話番号をダイヤルしてください。」等のガイダンスを送出する（Ａ６）。この場合の処理は、特番をダイヤルし、引き続き相手先番号をダイヤルしない場合であり、又特番に引き続き相手先番号をダイヤルする方法の場合、相手先番号を固定網５側で一時的に保持するか、又はアクセスポイント７側で一時的に保持することができ、認証が得られた時に、（２）着番号取得機能により、固定網５側又はアクセスポイント７側で保持されている相手先番号を要求する処理を行うことになる。
【００１７】
アクセスポイント７の制御処理部８は、その（３）携帯端末の発番号での発信機能により、携帯端末１の番号（０９０−ＸＸＸＸ）を発信者番号として、携帯端末２へ発信する（Ａ７）。従って、携帯端末２には、発信者番号として（０９０−ＸＸＸＸ）が表示される（Ａ８）。アクセスポイント７は、着端末の応答に応じて、制御処理部８の（４）発端末（固定端末）と着端末の接続機能によって、発端末（固定端末）と着端末との間の通話を可能とするように通話パスを形成する（Ａ９）。通話終了による一方からの切断信号を受信した場合は、アクセスポイント７の制御処理部８の（５）切断信号の送出機能により、他方へ切断信号を送出して通話を終了する（Ａ１０）。
【００１８】
本発明は、前述の実施例のみでなく、種々付加変更することが可能である。例えば、着信端末を、移動端末２として示しているが、固定網に収容された図示しない他の固定端末を着信端末とすることも可能であり、その場合は、移動網６のアクセスポイント７の制御処理部８の（３）携帯端末の発番号での発信機能により、固定網側へ発番号に対応する固定端末に対する呼び出し制御を行うことができる。なお、呼び出し制御は、固定網側の呼び出し機能を用いることになるが、アクセスポイント７から発信者番号として、携帯端末１の番号が付加されて、固定網側に転送することができるから、固定端末に対する呼び出しの場合も、移動端末１の番号を発信者番号として送信するこができる。
【図面の簡単な説明】
【００１９】
【図１】本発明の実施例１の説明図である。
【図２】本発明の動作説明図である。
【符号の説明】
【００２０】
１、２  携帯端末
３  データカード
４  固定端末
５  固定網
６  移動網
７  アクセスポイント
８  制御処理部
【図１】
2007208756.tif 000003
【図２】
2007208756.tif 000004